(57)【特許請求の範囲】
【請求項１】
感度設定信号に従って受信アンテナの受信入力感度を設定する感度設定部を有し、上記受信アンテナから得られる受信信号を所定の周波数の信号に変換して出力する受信部と、
上記受信信号の信号レベルを検出しこの検出して得た信号レベルを表す受信レベル信号を生成して出力する受信レベル検出手段と
上記受信入力感度を調節するための感度調節モードにあるときに通信相手となるワイヤレス送信機がその使用エリア内を移動している状態において得られる上記受信レベル信号の最低値と、所定のレベルと、を比較して、上記受信レベル信号の最低値が上記所定のレベルと略同等になる状態に上記感度設定部を制御するための上記感度設定信号を生成する感度制御手段と、
を具備するワイヤレス受信機。
【請求項２】
上記感度制御手段が、
初期状態において、上記感度設定部による上記受信アンテナの受信入力感度として所定の受信入力感度を設定する状態に上記感度設定信号を生成する初期設定手段と、
上記感度設定部による上記受信入力感度の設定が完了した時点で、その時点から時間を計測し始める計時手段と、
上記計時手段による計測時間が所定の時間に達するまでの間における上記受信レベル信号の最低値を記憶する最低値記憶手段と、
上記最低値記憶手段に記憶した上記受信レベル信号の最低値と上記所定のレベルとを比較して、上記記憶した最低値が上記所定のレベル以上であるとき、上記感度設定部に設定されている上記受信入力感度を維持し、上記最低値が上記所定のレベルよりも低いとき、その時点で上記感度設定部に設定されている上記受信入力感度を所定の感度値だけ上げる状態に上記感度設定信号を生成すると共に、上記最低値記憶手段の記憶内容を消去し、かつ上記計時手段により最初から時間を計測させる制御実行手段と、
を備えた、請求項１に記載のワイヤレス受信機。
【請求項３】
ミューティング制御信号に従って上記受信部の出力をＯＮ／ＯＦＦするミューティング回路と、
実際に無線通信を行う際に、上記最低値記憶手段に記憶されている上記受信レベル信号の最低値と、順次受信レベル検出手段から出力される上記受信レベル信号の信号レベルと、を比較して、上記受信レベル信号の信号レベルが上記最低値記憶手段に記憶されている最低値以上であるとき、上記受信部の出力をＯＮし、上記受信レベル信号の信号レベルが上記最低値よりも小さいとき、上記受信部の出力をＯＦＦする状態に、上記ミューティング制御信号を生成するミューティング制御手段と、
を備えた請求項２に記載のワイヤレス受信機。
【請求項４】
上記最低値記憶手段に記憶されている上記受信レベル信号の最低値から所定の値を減算する減算手段を備え、
上記ミューティング制御手段が、上記減算手段による減算結果と上記受信レベル検出手段から順次出力される受信レベル信号の信号レベルとを比較して、上記受信レベル信号の信号レベルが上記減算結果以上であるときに上記受信部の出力をＯＮし、上記受信レベル信号の信号レベルが上記減算結果よりも小さいときに上記受信部の出力をＯＦＦする状態に構成された請求項３に記載のワイヤレス受信機。
【請求項５】
上記受信レベル検出手段が、上記受信レベル信号を所定の時定数で積分する積分手段を有し、この積分手段によって積分した後の受信レベル信号を出力する状態に構成された請求項１、２、３または４に記載のワイヤレス受信機。
【請求項６】
上記感度設定部によって、上記受信レベル信号の最低値が上記所定のレベルと略同等となる状態に上記受信アンテナの受信入力感度を設定し終えたとき、その旨を表す第１の情報を出力する第１の情報出力手段、を設けた請求項１、２、３、４または５に記載のワイヤレス受信機。
【請求項７】
上記受信アンテナの受信入力感度を上記感度設定部により設定可能な最大の感度値に設定しても、上記受信レベル信号の最低値が上記所定のレベルよりも小さいとき、その旨を表す第２の情報を出力する第２の情報出力手段、を設けた請求項１、２、３、４、５または６に記載のワイヤレス受信機。
【請求項８】
請求項７に記載のワイヤレス受信機において、上記第２の情報出力手段が上記第２の情報を出力したとき、この第２の情報を、通信相手となるワイヤレス送信機に向けて送信する受信機側送信部、を備えたワイヤレス受信機であって、
送信出力設定信号に従って送信アンテナからの送信出力を設定する送信出力設定部を有し、この送信出力設定部によって設定された送信出力により送信対象となる情報を上記送信アンテナから送信する送信部と、上記第２の情報を受信可能な送信機側受信部と、この送信機側受信部によって上記第２の情報を受信したとき、上記送信アンテナからの送信出力をその時点で上記送信出力設定部により設定されている出力値よりも所定の出力値だけ増大させる状態に上記送信出力設定部を制御するための上記送信出力設定信号を生成する送信出力制御手段と、を具備するワイヤレス送信機、と無線通信が可能なワイヤレス受信機。
【請求項９】
上記ワイヤレス送信機が、上記送信出力設定部により上記送信アンテナからの送信出力を上記所定の出力値だけ増大させたときに設定完了信号を生成する設定完了信号生成手段を備え、上記送信部が、上記設定完了信号をも上記送信部によって上記送信アンテナから送信させる状態に構成されたものであって、
上記受信部が、上記ワイヤレス送信機側から送られてくる上記設定完了信号を受信したとき、上記感度制御手段が、再度、上記ワイヤレス送信機がその使用エリア内を移動している状態における上記受信レベル信号の最低値と所定のレベルとを比較して、上記受信レベル信号の最低値が上記所定のレベルと略同等になる状態に上記感度設定信号を生成し直すよう構成された請求項８に記載のワイヤレス受信機。
【請求項１０】
上記ワイヤレス送信機が、上記送信機側受信部により上記第２の情報を受信した時点で上記送信出力設定部により設定されている上記送信アンテナの送信出力が該送信出力設定部により設定可能な最大の出力値に設定されているとき、設定限界信号を生成する設定限界信号生成手段を備え、上記送信部が、上記設定限界信号をも上記送信アンテナから送信させる状態に構成されたものであって、
上記受信部が、上記ワイヤレス送信機側から送られてくる上記設定限界信号を受信したとき、その旨を表す第３の情報を出力する第３の情報出力手段を備えた請求項９に記載のワイヤレス受信機。
【請求項１１】
外部から与えられる感度調節開始命令に従って調節開始命令信号を生成する命令生成手段を備え、上記受信機側送信部が、上記調節開始命令信号をも上記ワイヤレス送信機に向けて送信させる状態に構成され、
上記ワイヤレス送信機が、上記送信機側受信部によって上記調節開始指令を受信したとき、上記送信出力制御手段によって、上記送信アンテナからの送信出力を所定の送信出力に設定する状態に上記送信出力設定信号を生成するよう構成された、請求項８、９または１０に記載のワイヤレス受信機。
【請求項１２】
感度設定信号に従って受信アンテナの受信入力感度を設定する感度設定部を有し、上記受信アンテナから得られる受信信号を所定の周波数の信号に変換して出力する受信部と、上記受信信号の信号レベルを検出しこの検出して得た信号レベルを表す受信レベル信号を生成して出力する受信レベル検出手段と、通信相手となるワイヤレス送信機がその使用エリア内を移動している状態における上記受信レベル信号の最低値と所定のレベルとを比較して、上記受信レベル信号の最低値が上記所定のレベルと略同等になる状態に上記感度設定部を制御するための上記感度設定信号を生成する感度制御手段と、上記感度設定部によって上記受信アンテナの受信入力感度をそれが設定可能な最大の感度値に設定しても上記受信レベル信号の最低値が上記所定のレベルよりも小さいとき、その旨を表す第２の情報を出力する第２の情報出力手段と、上記第２の情報出力手段が上記第２の情報を出力したときこの第２の情報を送信する受信機側送信部と、を備えたワイヤレス受信機、と無線通信が可能であって、
送信出力設定信号に従って送信アンテナからの送信出力を設定する送信出力設定部を有し、この送信出力設定部によって設定された送信出力により送信対象となる情報を上記送信アンテナから送信する送信部と、
上記ワイヤレス受信機から送られてくる上記第２の情報を受信可能な送信機側受信部と、
上記送信機側受信部が上記第２の情報を受信したとき、上記送信アンテナの送信出力をその時点で上記送信出力設定部により設定されている出力値よりも所定の出力値だけ増大させる状態に上記送信出力設定部を制御するための上記送信出力設定信号を生成する送信出力制御手段と、
を具備するワイヤレス送信機。
【請求項１３】
請求項１２に記載のワイヤレス送信機において、上記送信出力設定部により上記送信アンテナからの送信出力を上記所定の出力値だけ増大させたときに設定完了信号を生成する設定完了信号生成手段を備え、上記送信部が、上記設定完了信号をも上記送信部によって上記送信アンテナから送信させる状態に構成されたワイヤレス送信機。
【請求項１４】
請求項１３に記載のワイヤレス送信機において、上記送信機側受信部が上記第２の情報を受信した時点で、上記送信出力設定部により設定されている上記送信アンテナの送信出力が該送信出力設定部により設定可能な最大の出力値に設定されているとき、設定限界信号を生成する設定限界信号生成手段を備え、上記送信部が、上記設定限界信号をも上記送信アンテナから送信させる状態に構成されたワイヤレス送信機。
【請求項１５】
上記ワイヤレス受信機が、外部から与えられる感度調節開始命令に従って調節開始命令信号を生成する命令生成手段を備え、上記受信機側送信部が、上記調節開始命令信号をも上記ワイヤレス送信機に向けて送信させる状態に構成されたものであって、
上記送信機側受信部が、上記ワイヤレス受信機側から送られてくる上記調節開始指令を受信したとき、上記送信出力制御手段が、上記送信アンテナからの送信出力を上記送信機側受信部により設定可能な最小の出力値に設定する状態に上記送信出力設定信号を生成するよう構成された請求項１２、１３または１４に記載のワイヤレス送信機。
【請求項１６】
請求項１、２、３、４、５、６または７に記載のワイヤレス受信機と、
外部から与えられる送信出力設定命令に従って送信アンテナの送信出力を設定する送信出力設定部を有し、この送信出力設定部によって設定された送信出力により送信対象となる情報を上記送信アンテナから送信する送信部を備えたワイヤレス送信機と、
から成るワイヤレスシステム。
【請求項１７】
請求項８に記載のワイヤレス受信機と、請求項１２に記載のワイヤレス送信機と、から成るワイヤレスシステム。
【請求項１８】
請求項９に記載のワイヤレス受信機と、請求項１３に記載のワイヤレス送信機と、から成るワイヤレスシステム。
【請求項１９】
請求項１０に記載のワイヤレス受信機と、請求項１４に記載のワイヤレス送信機と、から成るワイヤレスシステム。
【請求項２０】
請求項１１に記載のワイヤレス受信機と、請求項１５に記載のワイヤレス送信機と、から成るワイヤレスシステム。
【発明の詳細な説明】
【０００１】
【発明の属する技術分野】
本発明は、例えばワイヤレス・マイクロホン・システムに代表されるワイヤレスシステム、及びこれを構成するワイヤレス受信機（以下、単に受信機と言う。）とワイヤレス送信機（以下、単に送信機と言う。）とに関する。
【０００２】
【従来の技術】
上記のようなワイヤレスシステムを使用する際、近接する他システムとの間で、互いに電波妨害等を与え合わないように注意する必要がある。即ち、送信機側においては、これを自システムの使用エリア内で使用するのに必要かつ十分な程度に、そして、それ自体の送信する電波が他システムに対して妨害電波として作用しない程度に、その送信出力を極力小さくする必要がある。一方、受信機側においても、自システムの送信機から送信される電波については安定して受信でき、他システムの送信機から送信される電波は受信しないよう、その受信入力感度を極力小さくする必要がある。
【０００３】
このような送信機側の送信出力の調節及び受信機側の受信入力感度の調節は、従来、二人の人間により手動で行うことが多かった。即ち、送信機側の送信出力の調節を担当する作業者と、受信機側の受信入力感度の調節を担当する作業者との、二手に分かれる。そして、送信機側の作業者は、実際に声を出しながらその使用エリア内を隈なく歩き回り、一方の受信機側の作業者は、上記送信機側から送られてくる電波を常に安定して受信できるか否かを確認する。この作業を、送信機側の送信出力及び受信機側の受信入力感度をそれぞれ例えば段階的に変化させて、かつ繰り返し実施することによって、そのシステムの使用エリアに応じた良好な調節を実現できる。
【０００４】
【発明が解決しようとする課題】
しかし、上記のように、上記各調節を実現するのに、送信機側の作業者と受信機側の作業者との計二人の作業者を要するというのは、効率的ではないという問題がある。各作業者間の意志疎通が合わなければ、更に効率が落ちることになる。勿論、作業者１人でも、上記各調節を行うことは可能であるが、この場合、良好な調節は望めない。
【０００５】
また、上記のような手動による調節では、その作業者の勘と経験に頼るところが大きい。よって、上記各調節作業に係る経験の浅い作業者では、良好な調節を実現できない場合もある。
【０００６】
そこで、本発明は、上記のように経験の浅い作業者一人でも、上記送信出力及び受信入力感度の各設定を良好に実現できるワイヤレスシステム、及びこれを構成する送信機、受信機を提供することを目的とする。
【０００７】
【課題を解決するための手段】
上述した目的を達成するために、本発明のうちで請求項１に記載の発明は、感度設定信号に従って受信アンテナの受信入力感度を設定する感度設定部を有し、上記受信アンテナから得られる受信信号を所定の周波数の信号に変換して出力する受信部と、
上記受信信号の信号レベルを検出しこの検出して得た信号レベルを表す受信レベル信号を生成して出力する受信レベル検出手段と、
上記受信入力感度を調節するための感度調節モードにあるときに通信相手となる送信機がその使用エリア内を隈なく移動している状態において得られる上記受信レベル信号の最低値と、所定のレベルと、を比較して、上記受信レベル信号の最低値が上記所定のレベルと略同等、詳しくは上記受信レベル信号の最低値が上記所定のレベルよりも僅かに大きくになる状態に上記感度設定部を制御するための上記感度設定信号を生成する感度制御手段と、
を具備するものである。
【０００８】
なお、ここで言う上記所定のレベルとは、例えば、上記受信部が復調回路を備えている場合には、この復調回路が上記受信信号を復調し得る信号レベルの最低値、即ち通信相手となる送信機から電波が送信されていない無信号時における受信信号の信号レベルよりも僅かに大きいレベル、のことを言う。
【０００９】
本請求項１に記載の発明において、例えば、今、送信相手となる送信機から、或る送信出力により電波が発射されているとする。この電波は、受信アンテナにより受信されて、ここで受信信号に変換された後、受信部により所定の周波数の信号、例えば可聴周波信号に変換され、即ち復調される。このとき、送信機が、その使用エリア内を移動することによって、上記受信アンテナを介して受信部に入力される受信信号の信号レベルが増減するが、そのレベルは、少なくとも受信部によって復調し得るレベルの最低値以上のレベル、即ち上記送信機から送られてくる電波を安定して受信するのに必要かつ十分なレベルとなる。これは、感度設定部が、感度制御手段から与えられる感度設定信号に従って、受信アンテナ（即ち受信機）の受信入力感度を設定することによって実現される。
【００１０】
即ち、本請求項１に記載の発明によれば、通信相手となる送信機がその使用エリア内に存在し、かつ上記或る（一定の）送信出力により電波を発射している限り、受信機の受信入力感度は、上記送信機から送られてくる電波を安定して受信するのに必要かつ十分な感度値に設定される。
【００１１】
また、上記通信相手となる送信機とは別に、他システムの送信機が存在するとしても、通常の使用状態においては、他システムの送信機は、上記通信相手となる送信機よりも、本請求項１に記載の発明の受信機から離れた場所で使用されるのが一般的である。従って、他システムの送信機の送信出力が極端に大きい等の特殊な場合を除いて、本請求項１に記載の発明の受信機によって受信される電波（の電界強度）は、他システムの送信機のものよりも、上記通信相手となる送信機のものの方が大きくなる。よって、本請求項１に記載の発明の受信機によって、他システムの送信機から送られてくる電波を受信すること、即ちこの電波により妨害を受けることはない。
【００１２】
請求項２に記載の発明は、請求項１に記載の発明の受信機において、
上記感度制御手段が、
初期状態において、上記感度設定部による上記受信アンテナの受信入力感度として所定の受信入力感度、例えば感度設定部により設定可能な最低の感度値を設定する状態に上記感度設定信号を生成する初期設定手段と、
上記感度設定部による上記受信入力感度の設定が完了した時点で、その時点から時間を計測し始める計時手段と、
上記計時手段による計測時間が所定の時間に達するまでの間における上記受信レベル信号の最低値を記憶する最低値記憶手段と、
上記最低値記憶手段に記憶した上記受信レベル信号の最低値と上記所定のレベルとを比較して、上記記憶した最低値が上記所定のレベル以上であるとき、上記感度設定部に設定されている上記受信入力感度を維持し、上記最低値が上記所定のレベルよりも低いとき、その時点で上記感度設定部に設定されている上記受信入力感度を所定の感度値だけ上げる状態に上記感度設定信号を生成すると共に、上記最低値記憶手段の記憶内容を消去し、かつ上記計時手段により最初から時間を計測させる制御実行手段と、
を備えたものである。
【００１３】
なお、ここで言う上記初期状態とは、例えば、本請求項２に記載の発明の受信機が、これに対して、外部から受信入力感度の設定（即ち調節）を開始する旨の命令が与えられた直後の状態にあることを言う。また、上記所定の時間とは、例えば、人間が、送信機を持って、その使用エリア内を隈なく歩き回るのに十分な程度の時間のことを言う。
【００１４】
本請求項２に記載の発明によれば、最初に、初期設定手段が、受信機の受信入力感度として、上記感度設定部により設定可能な最低の感度値を設定する。この状態で、送信機を持ってその使用エリア内を隈なく歩き回ると、その間における受信レベル信号の最低値が、最低値記憶手段に記憶される。すると、制御実行手段が、この記憶した最低値と所定のレベルとを比較して、この最低値が所定のレベル以上であるとき、即ち上記最低値の表す受信信号の信号レベルが受信部によって復調し得るレベルであるときは、現在の受信入力感度を維持する。一方、上記記憶した最低値が所定のレベルよりも小さいとき、即ち上記最低値の表す受信信号の信号レベルが受信部によって復調可能なレベルに達しないときは、現在の受信入力感度を所定の感度値だけ上げて、この状態で、再度、上記と同様の動作を繰り返す。なお、この動作は、最低値記憶手段に記憶される最低値の表す受信信号レベルが、少なくとも受信部によって復調可能な信号レベルに達するまで、即ち、受信機の受信入力感度が、送信機から送られてくる電波を必要かつ十分に受信できる程度の感度値に設定されるまで、繰り返される。
【００１５】
請求項３に記載の発明は、請求項２に記載の発明の受信機において、
ミューティング制御信号に従って上記受信部の出力をＯＮ／ＯＦＦするミューティング回路と、
実際に無線通信を行う際に、上記最低値記憶手段に記憶されている上記受信レベル信号の最低値と、順次受信レベル検出手段から出力される上記受信レベル信号の信号レベルと、を比較して、上記受信レベル信号の信号レベルが上記最低値記憶手段に記憶されている最低値以上であるとき、上記受信部の出力をＯＮし、上記受信レベル信号の信号レベルが上記最低値よりも小さいとき、上記受信部の出力をＯＦＦする状態に、上記ミューティング制御信号を生成するミューティング制御手段と、
を備えたものである。
【００１６】
即ち、本請求項３に記載の発明によれば、ミューティング制御手段は、通信相手となる送信機を持ってその使用エリア内を隈なく歩き回ったときの受信レベル信号の最低値を、ミューティング回路のＯＮ／ＯＦＦ動作の基準とする。そして、実際に無線通信を行う際には、この基準レベルと上記受信レベル検出手段から順次出力される受信レベル信号とを比較して、その比較結果によりミューティング回路をＯＮ／ＯＦＦする。例えば、上記送信機が、その使用エリア内に存在し、かつ電波を発射している状態にあるとき、上記受信レベル検出手段から出力される受信レベル信号は、少なくとも上記基準レベル以上となる。従って、この場合、ミューティング制御手段は、受信部の出力をＯＮする状態にミューティング回路を制御する。一方、上記送信機が、電波を発射していなかったり（即ち無信号時）、或いは使用エリア外に存在する場合には、受信レベル検出手段から出力される受信レベル信号は、上記基準レベルよりも小さくなる。この場合、ミューティング制御手段は、受信部の出力をＯＦＦする状態にミューティング回路を制御するので、受信機から不要な雑音等が出力されることはない。
【００１７】
請求項４に記載の発明は、請求項３に記載の発明の受信機において、
上記最低値記憶手段に記憶されている上記受信レベル信号の最低値から所定の値を減算する減算手段を備え、
上記ミューティング制御手段が、上記減算手段による減算結果と上記受信レベル検出手段から順次出力される受信レベル信号の信号レベルとを比較して、上記受信レベル信号の信号レベルが上記減算結果以上であるときに上記受信部の出力をＯＮし、上記受信レベル信号の信号レベルが上記減算結果よりも小さいときに上記受信部の出力をＯＦＦする状態に構成されたものである。
【００１８】
なお、ここで言う上記所定の値とは、例えば、フェージング等の何らかの影響により上記受信レベル信号がふらつく等変化したときの、この受信レベル信号の変化量よりも若干大きめの値のことを言う。
【００１９】
本請求項４に記載の発明によれば、上記減算手段による減算結果、即ち請求項３に記載の発明における基準レベルから上記所定の値を減算したレベルが、上記ミューティング回路をＯＮ／ＯＦＦさせる際の基準となる。
【００２０】
請求項５に記載の発明は、請求項１、２、３または４に記載の発明の受信機において、上記受信レベル検出手段が、上記受信レベル信号を所定の時定数で積分する積分手段を有し、この積分手段によって積分した後の受信レベル信号を出力する状態に構成されたものである。
【００２１】
本請求項５に記載の発明によれば、受信レベル検出手段は、積分手段により上記受信レベル信号に積分処理を施した後の信号を出力する。従って、例えば一般に知られているデッドポイント等の影響により、受信アンテナから得られる受信信号が極端に変動する現象が生じたとしても、それが上記所定の時定数よりも短い時間内に解消されれば、上記受信レベル信号までもが極端に変動することはない。もし、上記積分手段を設けないとすると、デッドポイント等が生じたときに上記受信レベル信号が極端に小さくなり、これによって、感度制御手段が受信レベル信号の正確な最低値を捉えることができなくなり、ひいては良好な受信入力感度の設定を実現できなくなるという不具合が生じる。これに対して、本請求項５に記載の発明によれば、上記デッドポイント等の影響を積分手段により吸収できるので、上記のような不具合は生じない。
【００２２】
なお、ここで言う上記所定の時定数とは、例えば、本請求項５に記載の発明の受信機及びその通信相手となる送信機の通常の使用状態において、上記デッドポイント等の現象が生じたときに、その現象が発生してから解消されるまでの期間よりも若干大きめの時間のことを言う。
【００２３】
請求項６に記載の発明は、請求項１、２、３、４または５に記載の発明の受信機において、上記感度設定部によって、上記受信レベル信号の最低値が上記所定のレベルと略同等となる状態に上記受信アンテナの受信入力感度を設定し終えたとき、その旨を表す第１の情報を出力する第１の情報出力手段、を設けたものである。
【００２４】
即ち、本請求項６に記載の発明によれば、上記感度設定部による受信入力感度の設定が完了したとき、その旨を表す第１の情報が第１の情報出力手段から出力される。なお、ここで言う上記第１の情報出力手段は、例えばＬＥＤ（発光ダイオード）やＬＣＤ（液晶ディスプレイ）等により視覚的な情報を上記第１の情報として出力する表示手段、或いは、ブザーやスピーカ等により上記第１の情報として聴覚的な情報を出力する手段等により構成できる。
【００２５】
請求項７に記載の発明は、請求項１、２、３、４、５または６に記載の発明の受信機において、上記受信アンテナの受信入力感度を上記感度設定部により設定可能な最大の感度値に設定しても、上記受信レベル信号の最低値が上記所定のレベルよりも小さいとき、その旨を表す第２の情報を出力する第２の情報出力手段、を設けたものである。
【００２６】
本請求項７に記載の発明によれば、受信機側の受信入力感度を最大感度値に設定しても、送信機側から送られてくる電波を必要かつ十分な感度で受信できない場合、その旨、即ち送信機側の送信出力に対して受信機側の受信入力感度が不足している旨を表す第２の情報が、第２の情報出力手段から出力される。なお、ここで言う第２の情報出力手段も、上記請求項６に記載の発明における第１の情報出力手段と同様、例えばＬＥＤやＬＣＤ等により視覚的な情報を上記第２の情報として出力する表示手段、或いは、ブザーやスピーカ等により上記第２の情報として聴覚的な情報を出力する手段等により構成できる。
【００２７】
請求項８に記載の発明は、請求項７に記載の発明の受信機において、上記第２の情報出力手段が上記第２の情報を出力したとき、この第２の情報を、通信相手となる送信機に向けて送信する受信機側送信部、を備えた受信機であって、
送信出力設定信号に従って送信アンテナからの送信出力を設定する送信出力設定部を有し、この送信出力設定部によって設定された送信出力により送信対象となる情報を上記送信アンテナから送信する送信部と、上記第２の情報を受信可能な送信機側受信部と、この送信機側受信部によって上記第２の情報を受信したとき、上記送信アンテナからの送信出力をその時点で上記送信出力設定部により設定されている出力値よりも所定の出力値だけ増大させる状態に上記送信出力設定部を制御するための上記送信出力設定信号を生成する送信出力制御手段と、を具備する送信機、と無線通信が可能なものである。
【００２８】
即ち、本請求項８に記載の発明の受信機と無線通信が可能な送信機は、送信出力を可変できるものである。例えば、今、この送信機が、或る送信出力により電波を発射しており、その電波を、本請求項８に記載の発明の受信機により受信しようとしているものとする。この状態において、受信機側の受信入力感度が最大感度値に設定されていても、受信部が送信機側から送られてくる電波を必要かつ十分な感度で受信できない場合、第２の情報出力手段が第２の情報を出力する。これと同時に、受信機側送信部が、上記第２の情報、所謂送信機側の送信出力が不足している旨の情報を、送信機側に向けて送信する。
【００２９】
一方、送信機側においては、送信機側受信部が、上記受信機側から送られてくる第２の情報を受信することによって、現在の送信出力が不足していること認識する。これを受けて、送信出力制御手段が、送信アンテナの送信出力を、現在よりも所定の出力値だけ増大させるよう、送信出力設定部を制御する（詳しくは、この制御を実現するための送信出力設定信号を生成する）。
【００３０】
この状態で、再度、受信機側において、感度制御手段による受信入力感度の設定（調節）動作を実行させる。これにより増大された送信機側の送信出力に対する受信機側の受信入力感度の設定が行われる。なお、このように送信機側の送信出力を上げても、受信機側において送信機側から送られてくる電波を必要かつ十分な感度で受信できない場合には、上記動作を繰り返す。
【００３１】
請求項９に記載の発明は、請求項８に記載の発明の受信機において、
上記送信機が、上記送信出力設定部により上記送信アンテナからの送信出力を上記所定の出力値だけ増大させたときに設定完了信号を生成する設定完了信号生成手段を備え、上記送信部が、上記設定完了信号をも上記送信部によって上記送信アンテナから送信させる状態に構成されたものであって、
上記受信部が、上記送信機側から送られてくる上記設定完了信号を受信したとき、上記感度制御手段が、再度、上記送信機がその使用エリア内を移動している状態における上記受信レベル信号の最低値と所定のレベルとを比較して、上記受信レベル信号の最低値が上記所定のレベルと略同等になる状態に上記感度設定信号を生成し直すよう構成されたものである。
【００３２】
本請求項９に記載の発明によれば、送信機は、その送信出力を増大させた後、その旨を表す設定完了信号を受信機側に送信する。一方、受信機は、上記送信機側から送られてくる設定完了信号を受信することによって、送信機側の送信出力が増大されたことを認識する。これを受けて、感度制御手段が、上記増大された送信機側の送信出力に対する受信機側の受信入力感度の設定動作を自動的に実行する。なお、送信機側の送信出力を増大しても、受信機側において送信機側から送られてくる電波を必要かつ十分な感度で受信できない場合には、上記受信機から送信機に向けての第２の信号の送受信→送信機側の送信出力の増大→送信機から受信機に向けての設定完了信号の送受信→受信機側における受信入力感度の再設定（調節）、という一連の動作を繰り返す。
【００３３】
請求項１０に記載の発明は、請求項９に記載の発明の受信機において、
上記送信機が、上記送信機側受信部により上記第２の情報を受信した時点で上記送信出力設定部により設定されている上記送信アンテナの送信出力が該送信出力設定部により設定可能な最大の出力値に設定されているとき、設定限界信号を生成する設定限界信号生成手段を備え、上記送信部が、上記設定限界信号をも上記送信アンテナから送信させる状態に構成されたものであって、
上記受信部が、上記送信機側から送られてくる上記設定限界信号を受信したとき、その旨を表す第３の情報を出力する第３の情報出力手段を備えたものである。
【００３４】
本請求項１０に記載の発明において、例えば、今、送信機側の送信出力が最大出力値に設定されているものとする。この状態で、受信機側から、第２の情報、所謂送信出力の増大を要求する旨の命令が送られてきたとしても、送信機側においては、これ以上、送信出力を増大させることは不可能であるので、送信機は、受信機側に向けて設定限界信号を送信する。受信機は、上記設定限界信号を受信することによって、送信機側の送信出力が限界（上限）に達していることを認識し、その旨を表す第３の信号を、第３の情報出力手段から出力する。
【００３５】
なお、ここで言う第３の情報出力手段もまた、上記請求項６に記載の発明における第１の情報出力手段及び請求項７に記載の発明における第２の情報出力手段と同様、例えばＬＥＤやＬＣＤ等により視覚的な情報を上記第３の情報として出力する表示手段、或いは、ブザーやスピーカ等により聴覚的な情報を上記第３の情報として出力する手段等により構成できる。
【００３６】
請求項１１に記載の発明は、請求項８、９または１０に記載の発明の受信機において、
外部から与えられる感度調節開始命令に従って調節開始命令信号を生成する命令生成手段を備え、上記受信機側送信部が、上記調節開始命令信号をも上記送信機に向けて送信させる状態に構成され、
上記送信機が、上記送信機側受信部によって上記調節開始指令を受信したとき、上記送信出力制御手段によって、上記送信アンテナからの送信出力を所定の送信出力、例えば送信出力設定部により設定可能な最小の送信出力に設定する状態に上記送信出力設定信号を生成するよう構成されたものである。
【００３７】
本請求項１１に記載の発明によれば、受信機に対して、外部から感度調節開始指令を与えると、受信機は、送信機に向けて、調節開始命令信号を送信する。これにより、送信機側の送信出力が最小出力に設定され、この状態から、受信機側において、感度制御手段による受信入力感度の設定（調節）動作が開始される。
【００３８】
請求項１２に記載の発明は、感度設定信号に従って受信アンテナの受信入力感度を設定する感度設定部を有し、上記受信アンテナから得られる受信信号を所定の周波数の信号に変換して出力する受信部と、上記受信信号の信号レベルを検出しこの検出して得た信号レベルを表す受信レベル信号を生成して出力する受信レベル検出手段と、通信相手となる送信機がその使用エリア内を移動している状態における上記受信レベル信号の最低値と所定のレベルとを比較して、上記受信レベル信号の最低値が上記所定のレベルと略同等になる状態に上記感度設定部を制御するための上記感度設定信号を生成する感度制御手段と、上記感度設定部によって上記受信アンテナの受信入力感度をそれが設定可能な最大の感度値に設定しても上記受信レベル信号の最低値が上記所定のレベルよりも小さいとき、その旨を表す第２の情報を出力する第２の情報出力手段と、上記第２の情報出力手段が上記第２の情報を出力したときこの第２の情報を送信する受信機側送信部と、を備えた受信機、と無線通信が可能であって、
送信出力設定信号に従って送信アンテナからの送信出力を設定する送信出力設定部を有し、この送信出力設定部によって設定された送信出力により送信対象となる情報を上記送信アンテナから送信する送信部と、
上記受信機から送られてくる上記第２の情報を受信可能な送信機側受信部と、上記送信機側受信部が上記第２の情報を受信したとき、上記送信アンテナの送信出力をその時点で上記送信出力設定部により設定されている出力値よりも所定の出力値だけ増大させる状態に上記送信出力設定部を制御するための上記送信出力設定信号を生成する送信出力制御手段と、
を具備するものである。
【００３９】
即ち、本請求項１２に記載の発明の送信機は、上記請求項８に記載の発明の受信機と無線通信が可能なものである。従って、本請求項１２に記載の発明の送信機と、上記請求項８に記載の発明の受信機とを、組み合わせてワイヤレスシステムを構成することにより、上記請求項８に記載の発明と同様の作用を奏する。
【００４０】
請求項１３に記載の発明は、請求項１２に記載の発明の送信機において、上記送信出力設定部により上記送信アンテナからの送信出力を上記所定の出力値だけ増大させたときに設定完了信号を生成する設定完了信号生成手段を備え、上記送信部が、上記設定完了信号をも上記送信部によって上記送信アンテナから送信させる状態に構成されたものである。
【００４１】
本請求項１３に記載の発明によれば、送信機は、その送信出力を増大し終えると、通信相手である受信機側に対して、設定完了信号を送信し、これによって、送信機側の送信出力を増大し終えたことを受信機側に認識させる。即ち、本請求項１３に記載の発明の送信機は、上記請求項９に記載の発明の受信機と無線通信が可能なものである。従って、本請求項１３に記載の発明の送信機と、上記請求項９に記載の発明の受信機とを、組み合わせてワイヤレスシステムを構成することによって、上記請求項９に記載の発明と同様の作用を実現できる。
【００４２】
請求項１４に記載の発明は、請求項１３に記載の発明の送信機において、上記送信機側受信部が上記第２の情報を受信した時点で、上記送信出力設定部により設定されている上記送信アンテナの送信出力が該送信出力設定部により設定可能な最大の出力値に設定されているとき、設定限界信号を生成する設定限界信号生成手段を備え、上記送信部が、上記設定限界信号をも上記送信アンテナから送信させる状態に構成されたものである。
【００４３】
本請求項１４に記載の発明によれば、送信機は、受信機から第２の情報、所謂送信出力の増大を要求する旨の命令が送られてきたとしても、その時点で既に送信出力が最大の出力値に設定されており、それ以上、送信出力を増大させることが不可能な場合には、受信機に対して、設定限界信号を送信する。これにより、受信機側に対して、送信機側の送信出力が限界（上限）に達していることを認識させる。即ち、本請求項１４に記載の発明の送信機は、上記請求項１０に記載の発明の受信機と無線通信が可能なものである。従って、本請求項１４に記載の発明の送信機と、上記請求項１０に記載の発明の受信機とを、組み合わせてワイヤレスシステムを構成することによって、上記請求項１０に記載の発明と同様の作用を実現できる。
【００４４】
請求項１５に記載の発明は、請求項１２、１３または１４に記載の発明の送信機において、
上記受信機が、外部から与えられる感度調節開始命令に従って調節開始命令信号を生成する命令生成手段を備え、上記受信機側送信部が、上記調節開始命令信号をも上記送信機に向けて送信させる状態に構成されたものであって、
上記送信機側受信部が、上記受信機側から送られてくる上記調節開始指令を受信したとき、上記送信出力制御手段が、上記送信アンテナからの送信出力を上記送信機側受信部により設定可能な最小の出力値に設定する状態に上記送信出力設定信号を生成するよう構成されたものである。
【００４５】
即ち、本請求項１５に記載の発明の送信機は、上記請求項１１に記載の発明の受信機と無線通信が可能なものである。従って、本請求項１５に記載の発明の送信機と、上記請求項１１に記載の発明の受信機とを、組み合わせてワイヤレスシステムを構成することによって、上記請求項１１に記載の発明と同様の作用を実現できる。
【００４６】
請求項１６に記載の発明は、請求項１、２、３、４、５、６または７に記載の受信機と、
外部から与えられる送信出力設定命令に従って送信アンテナの送信出力を設定する送信出力設定部を有し、この送信出力設定部によって設定された送信出力により送信対象となる情報を上記送信アンテナから送信する送信部を備えた送信機と、
から成るものである。
【００４７】
即ち、本請求項１６に記載の発明のワイヤレスシステムは、上記請求項１、２、３、４、５、６または７に記載の受信機と、例えば手動により任意に送信出力を可変できる送信機とを、組み合わせたものである。従って、これら受信機側の受信入力感度と、送信機側の送信出力とを、それぞれ設定（調節）する場合には、例えば、まず最初に、送信機側の送信出力をその最小の出力値に設定する。そして、受信機側において、感度制御手段により、送信機側の送信出力に対する受信入力感度の設定動作を実行させ、その設定状況に応じて、送信機側の送信出力を変化させるか否かを決定すればよい。即ち、受信機側において、送信機側から送られてくる電波を必要かつ十分な感度で受信できる場合には、送信機側の送信出力はそのままとし、そうでない場合には、送信機側の送信出力を徐々に増大させて、その都度、上記感度制御手段による受信入力感度の設定動作を実行すればよい。
【００４８】
請求項１７に記載の発明は、請求項８に記載の発明の受信機と、請求項１２に記載の発明の送信機と、から成るものである。
【００４９】
請求項１８に記載の発明は、請求項９に記載の発明の受信機と、請求項１３に記載の発明の送信機と、から成るものである。
【００５０】
請求項１９に記載の発明は、請求項１０に記載の発明の受信機と、請求項１４に記載の発明の送信機と、から成るものである。
【００５１】
請求項２０に記載の発明は、請求項１１に記載の発明の受信機と、請求項１５に記載の発明の送信機と、から成るものである。
【００５２】
【発明の実施の形態】
本発明を例えば８００ＭＨｚ帯のワイヤレス・マイクロホン・システムに応用する場合の第１の実施の形態について、図１から図８を参照して説明する。
【００５３】
図１は、本第１の実施の形態の概略構成を示す図で、（ａ）は、送信機側のブロック図、（ｂ）は、受信機側のブロック図である。同図（ａ）に示すように、送信機側においては、マイクロホン１から出力される音声信号を低周波増幅器２によって増幅し、この増幅後の音声信号を変調器３に入力している。変調器３は、これに入力される上記音声信号によって、高周波発振回路４から供給される高周波信号を例えば周波数（ＦＭ）変調し、この変調後の信号を、高周波増幅器５及び送信出力設定部６を介して送信アンテナ７に供給する。送信アンテナ７に供給された信号は、ここで電波に変換されて、空中に発射される。
【００５４】
なお、上記高周波発振回路４は、例えば位相同期ループ（以下、ＰＬＬと言う。）シンセサイザ回路構成のもので、その発振周波数は、例えばＣＰＵ（中央演算処理装置）構成の制御部８によって制御される。また、制御部８には、この送信アンテナ７（送信機）の送信出力を例えば段階的に調節するための操作部９が接続されており、この操作部９を操作すると、これに応じて、制御部８は、上記送信出力設定部６を制御するための送信出力設定信号を生成する。この制御部８の動作を制御するためのプログラムは、図示しない記憶部に記憶されている。
【００５５】
一方、受信機は、同図（ｂ）に示すように、スーパーヘテロダイン方式のもので、送信機から送られてくる電波を受信アンテナ２１で受信した後、その受信信号を、感度設定部２２を介して、高周波増幅器２３に入力する。そして、この高周波増幅器２３によって増幅した後の受信信号と、局部発振回路２４の発振する局部発振信号とを、混合器２５により混合することによって、上記増幅後の受信信号を中間周波信号に変換する。この中間周波信号は、中間周波増幅器２６で増幅された後、復調回路２７に供給される。復調回路２７は、これに供給される中間周波信号をＦＭ検波することにより、可聴周波信号を再生し、これをミューティング回路（Ａｔｔｅｎｕａｔｏｒ）２８を介して、音声出力端子２９から出力させる。この音声出力端子２９は、例えば図示しないスピーカの入力端子に接続されている。
【００５６】
なお、上記局部振回路２５は、送信機側の高周波発振回路４と同様、ＰＬＬシンセサイザ回路構成のもので、その発振周波数は、制御部３０によって制御される。また、復調回路２７は、上記可聴周波信号の他に、アンテナ入力レベル（受信電界強度）Ｅに応じた受信レベル信号ＶＳ  を生成して出力する。これらアンテナ入力レベルＥと受信レベル信号ＶＳ  との関係を、図２に示す。同図に示すように、受信レベル信号ＶＳ  は、例えばアンテナ入力レベルＥが少なくともＥ＝１０ｄＢμＶ乃至６０ｄＢμＶの範囲内においては、このアンテナ入力レベルＥに比例し、Ｅ＝６０ｄＢμＶ以上では飽和し、即ち最大レベル一定となる。なお、アンテナ入力レベルＥがＥ＝１０ｄＢμＶ未満の場合には、受信電波が微弱過ぎて、良好な受信動作は期待できない。
【００５７】
上記受信レベル信号ＶＳ  は、所定の時定数を有する積分回路３１によって積分処理され、Ａ／Ｄ変換器３２によってディジタル化された後、制御部３０に供給される。制御部３０は、上記Ａ／Ｄ変換器３２を介して供給されるディジタル化された受信レベル信号ＶＳ  に基づいて、上記感度設定部２２を制御するための感度設定信号を生成し、感度設定部２２は、この感度設定信号に応じて、受信アンテナ２１（受信機）の受信入力感度を設定する。また、制御部３０は、上記ディジタル化された受信レベル信号ＶＳ  に基づいて、ミューティング回路２８のＯＮ／ＯＦＦ動作の基準となる基準レベル信号ＶＴＨを生成し、これをＤ／Ａ変換器３３を介して比較器３４に入力する。比較器３４は、これに入力される基準レベル信号ＶＴＨと上記受信レベル信号ＶＳ  とを比較して、受信レベル信号（の信号レベル）ＶＳ  が、基準レベル信号（の信号レベル）ＶＴＨ以上（即ち、ＶＳ  ≧ＶＴＨ）である場合にのみ、ミューティング回路２８をＯＮして、この受信機の出力を有効とする。
【００５８】
更に、制御部３０には、後述する感度調節スイッチ、再調節スイッチ及び兆つ解除スイッチ等を備えた操作部３５と、ＬＥＤやＬＣＤ構成の表示部３６とが、接続されている。また、制御部３０は、図示しない記憶部を有しており、制御部３０の動作を制御するためのプログラムは、この記憶部内に記憶されている。この記憶部には、後述する一時記憶領域も設けられている。また、制御部３０は、時間を計測するタイマ機能をも有している。
【００５９】
ところで、上記のように構成された送信機及び受信機それぞれの送信出力及び受信入力感度を設定するには、次の手順に従う。
【００６０】
例えば、今、送信機及び受信機それぞれの電源がＯＮされているものとする。この状態で、まず、送信機側の送信出力を最低出力に設定する（詳しくは、操作部９の操作により、送信出力設定部６の設定値を、それが設定可能な最低の出力値に設定する）。そして、受信機側の操作部３５の感度調節スイッチをＯＮした後、送信機を持って声を出しながらその使用エリア内を隈なく歩き回る。
【００６１】
上記のように感度調節スイッチをＯＮすることによって、受信機側の制御部３０は、図３に示すように、通常の受信状態である通常受信モードＭ２から、感度調節モードＭ４に遷移する。この感度調節モードＭ４に遷移することにより、制御部３０は、図４に示すように動作する。
【００６２】
即ち、制御部３０は、最初に、受信入力感度を最低値に設定する（ステップＳ２：詳しくは、受信入力感度を最低値にするように感度設定部２２を制御するための感度設定信号を生成する）。これにより、送受信機間においては、最低の送信出力及び最低の受信入力感度という条件による無線通信が行われる。そして、制御部３０は、上述した一時記憶領域内の記憶内容（後述するレベル最低値ＶＬ  ）を消去すると共に（ステップＳ４）、上記タイマ機能の計測時間を零に戻し、即ちリセットした上で、このタイマによる時間計測を開始する（ステップＳ６）。
【００６３】
この状態で、制御部３０は、受信レベル信号ＶＳ  を監視して、そのレベルの最低値ＶＬ  を、上記一時記憶領域内に記憶する（ステップＳ８）。そして、この記憶したレベル最低値ＶＬ  が、予め定めたレベル、例えば受信機（詳しくは復調回路２７）により復調可能なレベルの最低値（即ち、アンテナ入力レベルＥ＝１０ｄＢμＶに対応する受信レベル信号ＶＳ  ）Ｖ０  以上であるか否かを判断する（ステップＳ１０）。このステップＳ１０において、ＹＥＳ（即ち、ＶＬ  ≧Ｖ０  ）の場合には、上記タイマによる計測時間が所定の時間、例えば送信機を持ってその使用エリア内を隈なく歩き回るのに十分な時間（約１分程度。ただし、この時間は任意に変更できる。）に到達するまで、上記ステップＳ８及びステップＳ１０を繰り返す（ステップＳ１２）。
【００６４】
上記タイマの計測時間が所定の時間に到達するまでの間、その間における上記レベル最低値ＶＬ  が上記判断基準Ｖ０  以上である場合（ステップＳ１２においてＹＥＳの場合）には、制御部３０は、現在設定されている送信機側の送信出力及び受信機側の受信入力感度により、使用エリア内を十分にカバーできる、即ち良好な状態での無線通信が可能であると判断する。そして、受信機側の受信入力感度は現在の設定で良好であることを表す受信状態維持情報を、表示部３６により表示する（ステップＳ１４）。この表示により、作業者（送信機を持ち歩いている者）は、現在送信機側で設定されている送信出力に対して、受信機側の受信入力感度が良好に設定されたことを確認できる。
【００６５】
一方、上記タイマの計測時間が所定の時間に到達する以前に、即ち送信機が使用エリア内の或る場所に位置した時点で、上記レベル最低値ＶＬ  が上記判断基準Ｖ０  よりも小さくなった場合（ステップＳ１０においてＮＯの場合）、制御部３０は、上記受信状態維持情報を表示していないことを確認した後（ステップＳ１６）、受信入力感度を現在の設定値よりも更に上げることができるか否かを確認する（ステップＳ１８）。受信入力感度を上げることができる場合（ステップＳ１８においてＹＥＳの場合）には、受信入力感度を所定量、例えば予め定めた１段階分だけ上げて（ステップＳ２０）、上記ステップＳ４に戻る。既に、受信入力感度が最大感度に設定されている場合（ステップＳ１８においてＮＯの場合）には、送信機側の送信出力が不足していると判断して、その旨を表す送信出力変更要求情報を、表示部３６により表示する（ステップＳ２２）。
【００６６】
上記送信出力変更要求情報を表示した後も、制御部３０は、受信レベル信号ＶＳ  を監視し続けると共に（ステップＳ２４）、上述した操作部３５の再調節スイッチの操作状況を監視する（ステップＳ２６）。作業者は、表示部３６により上記送信出力変更要求情報が表示されることにより、現在送信機側で設定されている送信出力が不足していることを確認できるので、その場合は、送信機側の送信出力を例えば１段階上げる。そして、上記再調節スイッチをＯＮすることにより、受信機側の制御部３０は、ステップＳ２に戻り、即ち、新たに設定された送信出力に対して、受信機側の受信入力感度を調節し直す。
【００６７】
上記手順を繰り返すことによって、送信機側の送信出力及び受信機側の受信入力感度の各調節を実現できる。これら各調節を完了した後（即ち、受信機の表示部３６に受信状態維持情報された後）は、上述した受信機側の操作部３５の設定解除スイッチをＯＮする。これにより、受信機側の制御部３０は、図３に示すように、調節解除モードＭ６に遷移する。この調節解除モードＭ６においては、制御部３０は、図５に示すように動作する。
【００６８】
即ち、上記設定解除スイッチがＯＮされると、制御部３０は、一時記憶領域内に記憶したレベル最低値ＶＬ  から所定の値ΔＶを減算する（ステップＳ３０）。そして、この減算して得た結果を、上述したミューティング回路２８の基準レベルＶＴＨとして、Ｄ／Ａ変換器３３に出力する（ステップＳ３２）。この基準レベルＶＴＨを設定した後、制御部３０は、通常受信モードＭ２に戻る。
【００６９】
上記手順により送信機側の送信出力及び受信機側の受信入力感度を設定した後、これら送受信機により通常の無線通信を行なったときの受信機側の受信状態を、図６に示す。同図に示すように、受信機側の受信レベル信号ＶＳ  は、（送信機がその使用エリア内に存在する限り）少なくとも上記レベル最低値ＶＬ  （ＶＬ  ≧Ｖ０  ）以上のレベルとなる。従って、受信機は、送信機側から送られてくる電波を、必要かつ十分な感度で確実に受信できる。
【００７０】
また、他システムの送信機からの妨害電波が存在するとしても、この妨害電波は、自システムの送信機の電波よりも弱い（即ち、妨害電波を受信して得た受信レベル信号ＶＤ  は、自システムの送信機の電波を受信して得た受信レベル信号ＶＳ  よりも小さい）ので、受信機が、この妨害電波を受信することはない。例え、無信号時に上記妨害電波が飛び込んできたとしても、その妨害電波を受信して得た受信レベル信号ＶＤ  が、上述した基準レベルＶＴＨよりも小さい場合には、ミューティング回路２８がＯＦＦされるので、受信機から不必要な雑音が出力されることもない。
【００７１】
上記ミューティング回路２８用の基準レベルＶＴＨは、受信レベル信号ＶＳ  の最低値（即ちＶＬ  ）よりも所定の値ΔＶだけ低く設定している、即ちマージンを設けているので、フェージング等の影響により、上記受信レベル信号ＶＳ  （アンテナ入力レベルＥ）が若干変動しても、上記受信レベル信号ＶＳ  は基準レベルＶＴＨよりも小さくなることはない。従って、自システムの送信機から送られてくる電波から再生して得た可聴周波信号については、確実に出力される。なお、上記所定の値ΔＶは、上記フェージング等の影響を十分に吸収できる程度の値とし、例えばアンテナ入力レベルＥに換算してＥ＝１０ｄＢμＶに相当する程度の値とする。
【００７２】
上記受信レベル信号ＶＳ  については、これを積分回路３１により積分しているので、デッドポイント等の影響を回避できる。即ち、上記積分回路３１を設けない場合に、上記デッドポイントの影響を受けると、受信レベル信号ＶＳ  は、例えば図７に点線Ｄで示すように、極端に低下する。この場合、受信レベル信号ＶＳ  の最低値ＶＬ  が極端に小さくなるので、受信入力感度を正確に設定できなくなる。しかし、上記積分回路３１を設けることによって、上記デッドポイントの影響により受信レベル信号ＶＳ  が極端に低下するのを防止できる。なお、８００ＭＨｚ帯のシステム（波長λ＝０．４ｍ）において、送信機を持ち歩く速度を例えば１ｍ／ｓｅｃとすると、上記デッドポイントに陥る時間は、約０．４秒程度と推測できる。従って、上記積分回路３１の時定数を、この約０．４秒という時間よりも十分に大きくすれば、上記デッドポイントの影響を十分に回避できる。
【００７３】
上記のように、本第１の実施の形態によれば、少なくとも受信機側の受信入力感度については、受信機側の制御部３０が自動的に調節するので、作業者としては、送信機を持ち歩くと共に、必要に応じてその送信出力を設定する者一人だけで十分である。また、この送信機側の送信出力の設定は、手動で行うものの、飽くまで、受信機側の指示に従って（即ち、表示部３６に送信出力変更要求情報が表示されたときにのみ段階的に）行うものである。よって、人間が感覚的に設定するよりも良好な送信出力設定を実現できると共に、その設定に係る作業者の経験も要求されない。
【００７４】
なお、本第１の実施の形態における受信機側の制御部３０が、特許請求の範囲に記載の感度制御手段、ミューティング制御手段及び減算手段にそれぞれ対応する。また、高周波増幅器２３、局部発振回路２４、混合器２５、中間周波増幅器２６及び復調回路２７から成る部分が、特許請求の範囲に記載の受信部に対応し、このうちの復調回路２７によって、特許請求の範囲に記載の受信レベル検出手段が実現される。
【００７５】
そして、表示部３６が、特許請求の範囲に記載の第１及び第２の情報出力手段に対応し、この表示部３６によって表示される受信状態維持情報及び送信出力変更要求情報が、それぞれ第１及び第２の情報に対応する。なお、これら第１及び第２の情報出力手段は、表示部３６に限らず、ブザーやスピーカ等、上記第１及び第２の情報を聴覚的な情報で出力する手段によっても構成できる。
【００７６】
本第１の実施の形態では、本発明を８００ＭＨｚ帯のＦＭワイヤレス・マイクロホン・システムに応用する場合について説明したが、これ以外の周波数帯域、例えば７０ＭＨｚ帯や３００ＭＨｚ帯のワイヤレスシステムに、本発明を応用してもよい。また、ＦＭ方式のワイヤレスシステムについて説明したが、ＡＭ（振幅変調）式等、他の変調方式のワイヤレスシステムに本発明を応用してもよい。更に、音声以外の例えばデータ通信を行うシステム等にも、本発明を応用できる。
【００７７】
また、本第１の実施の形態は、例えば図８に示すように、空間ダイバシティ受信機にも適用できる。即ち、図１（ｂ）における受信アンテナ２１、感度設定部２２、高周波増幅器２３、混合器２５、中間周波増幅器２６及び復調回路２７から成る受信部と同様のもの（受信アンテナ２１ａ、感度設定部２２ａ、高周波増幅器２３ａ、混合器２５ａ、中間周波増幅器２６ａ及び復調回路２７ａ）を更に一系統設ける。そして、それぞれの復調回路２７、２７ａの出力する各可聴周波信号及び各受信レベル信号ＶＳ  のうちの、一方を選択するための２つの選択回路３７、３８と、これら各選択回路３７、３８によって上記各復調回路２７、２７ａのいずれの出力を選択するのかを制御する判定回路３９を設ける。この判定回路３９は、各受信レベル信号ＶＳ  を比較して、レベルの大きい方、即ち受信状態の良好な方の復調回路２７または２７ａの出力を選択するように、上記各選択回路３７、３８を制御する。なお、選択回路３７によって選択して得た可聴周波信号が、ミューティング回路２８を介して音声出力端子２９から出力され、選択回路３８によって選択して得た受信レベル信号ＶＳ  が、積分回路３１及び比較器３４に入力される。これ以外については、上記図１（ｂ）の所謂シングル受信機と同様であるので、その詳細な説明は省略する。
【００７８】
本第１の実施の形態では、上記受信レベル信号ＶＳ  を積分するための積分回路３１を設けたが、デッドポイント等の影響を考慮しない場合には、この積分回路３１を設けなくても良い。ミューティング回路２８用の基準レベルＶＴＨについても、アンテナ入力レベルＥ（受信レベル信号ＶＳ  ）のふらつき等の影響を回避するためにマージンΔＶを設けたが、このふらつき等の影響を考慮しない場合には、上記マージンΔＶを設けなくてもよい。
【００７９】
図４及び図５に示すフローチャートに基づいて受信機側の制御部３０を動作させたが、本第１の実施の形態と同様の作用及び効果を奏するのであれば、上記各フローチャート以外の手順により制御部３０を制御してもよい。また、本第１の実施の形態によれば、送信機側の送信出力及び受信機側の受信入力感度共に、最初に最低の値に設定し、必要に応じて順次各設定値を上げていくようにしたが、これに限らない。例えば、上記各設定値として、最初に最大の値を設定し、必要に応じて（例えば設定値が過大である場合に）順次各設定値を下げていくように構成してもよい。ただし、送信機側の送信出力及び受信機側の受信入力感度共に、極力小さい値に抑えたいという本発明の趣旨を鑑みると、本第１の実施の形態のように、上記各設定値を低い値から高い値へと推移させた方が、より効率的である。
【００８０】
次に、本発明の第２の実施の形態について、図９から図１４を参照して説明する。
【００８１】
図９は、本第２の実施の形態の概略構成を示す図で、（ａ）は、送信機側のブロック図、（ｂ）は、受信機側のブロック図である。同図（ａ）に示すように、本第２の実施の形態の送信機は、上記第１の実施の形態の送信機に対して、同図に一点鎖線で囲む受信部１０を付加したもので、この受信部１０により、後述する受信機側から送られてくる各種命令を受信する。
【００８２】
即ち、受信部１０は、受信機側から送られてくる上記各種命令を含む電波を受信アンテナ１１で受信した後、その受信信号を高周波増幅器１２で増幅して、混合器１３に入力する。混合器１３は、これに入力された上記受信信号を、局部発振回路１４の発振する局部発振信号と混合することにより、中間周波信号に変換し、これを中間周波増幅器１５で増幅した後、復調回路１６に供給する。復調回路１６は、これに入力される中間周波信号をＦＭ検波することにより、上記各種命令を再生し、これを制御部８に入力する。制御部８は、上記受信部１０により受信して得た各種命令に応じて、後述する各種応答信号を生成し、これを変調器３に入力して、受信機側に送信する。
【００８３】
なお、上記受信部１０の局部振回路１４は、高周波発振回路４と同様、ＰＬＬシンセサイザ回路構成のもので、その発振周波数は、制御部３０によって制御される。これ以外の構成については、上記図１（ａ）の送信機と同様であるので、これら同等部分については、同一符号を付して、その詳細な説明を省略する。
【００８４】
一方、受信機は、図９（ｂ）に示すように、上記第１の実施の形態の受信機に対して、同図に一点鎖線で囲む送信部４０を付加したもので、この送信部４０により、制御部３０で生成した上記各種命令を送信機側に送信する。
【００８５】
即ち、送信部４０は、上記制御部３０で生成された命令を、変調器４１に入力する。変調器４１は、これに入力される上記命令によって、高周波発振回路４２から供給される高周波信号を例えば周波数変調し、この変調後の信号を高周波増幅器４３で増幅した後、送信アンテナ４４に供給する。この送信アンテナ４４に供給された信号は、ここで電波に変換されて、送信機側に送信される。
【００８６】
また、受信機は、上記命令の送信に応じて送信機側から送られてくる応答信号（を含む受信信号）を、受信する。この受信して得た応答信号は、復調回路２７で再生されて、制御部３０に入力される。
【００８７】
なお、上記送信部４０の高周波発振回路４２もまた、局部発振回路２４と同様、制御部３０によって制御されるＰＬＬシンセサイザ回路構成とされている。これ以外の構成については、上記図１（ｂ）の受信機と同様であるので、これら同等部分については、同一符号を付して、その詳細な説明を省略する。
【００８８】
ところで、本第２の実施の形態において、上記送信機の送信出力及び受信機の受信入力感度をそれぞれ設定するには、次の手順による。
【００８９】
例えば、今、送信機及び受信機それぞれの電源がＯＮされているものとする。この状態で、受信機側の操作部３５の感度調節スイッチをＯＮし、その後、送信機を持って声を出しながらその使用エリア内を隈なく歩き回る。
【００９０】
上記のように感度調節スイッチをＯＮすることによって、受信機側の制御部３０は、図１０に示すように、通常の受信状態である通常受信モードＭ１０から、感度調節モードＭ１２に遷移する。この感度調節モードＭ１２に遷移することにより、制御部３０は、図１１に示すように動作する。
【００９１】
同図に示すように、制御部３０は、調節開始命令を生成し、この命令を送信部４０により送信機側に送信する（ステップＳ４０）。この調節開始命令は、上述したように送信機側の受信部１０により受信されて、送信機側の制御部８に入力される。
【００９２】
上記調節開始命令を受信した送信機側においては、制御部８は、上記調節開始命令を受信することによって、図１２に示すように、通常の送信状態である通常送信モードＭ２０から、送信出力調節モードＭ２２に遷移する。そして、この送信出力調節モードＭ１２に遷移することにより、制御部８は、図１３に示すように動作する。
【００９３】
即ち、制御部８は、まず、送信出力を最低値に設定する（ステップＳ７０：詳しくは、送信出力を最低値にするように送信出力設定部６を制御するための送信出力設定信号を生成する）。そして、この送信出力の設定を完了することにより、制御部８自体が、上記送信出力調節モードＭ２２に完全に移行した旨を表す送信出力調節モード移行完了信号を生成し、これを変調器３に入力して、受信機側に送信する（ステップＳ７２）。この移行完了信号は、上述したように受信機側で受信されて、受信機側の制御部３０に入力される。
【００９４】
受信機側においては、制御部３０が、上記ステップＳ４０において調節開始命令を送信した後、送信機側から上記移行完了信号が送られてくるのを待機している状態にあり（ステップＳ４２）、上記移行完了信号を受信することによって初めて、次のステップＳ４４に進む（ステップＳ４２のＹＥＳ）。そして、このステップＳ４４からステップＳ６２までの各ステップにより、上記第１の実施の形態（図４）におけるステップＳ２からステップＳ２０までの各ステップと全く同様の手順で、上述した受信レベル信号ＶＳ  のレベル最低値ＶＬ  を求め、必要に応じて受信入力感度を順次上げていく。
【００９５】
ただし、上記ステップＳ４４からステップＳ６２までの手順により、受信機側の受信入力感度を最大値に設定しても、十分な受信感度が得られない場合（ステップＳ６０においてＮＯの場合）には、制御部３０は、送信機側の送信出力が不足していると判断して、送信機側に対して送信出力の増大を要求する旨の送信出力アップ命令を生成し、この命令を送信機側に送信する（ステップＳ６４）。
【００９６】
送信機側の制御部８は、ステップＳ７２において移行完了信号を送信した後、受信機側から後述する調節解除命令または上記送信出力アップ命令が送られてくるのを待機している状態にある（ステップＳ７４、Ｓ７６）。即ち、制御部８は、ステップＳ７６において、上記送信出力アップ命令を受信したことを確認した後（ＹＥＳの場合）、送信機側の送信出力を現在の設定値よりも更に上げることができるか否かを判断する（ステップＳ７８）。ここで、送信出力を上げることができる場合（ＹＥＳの場合）には、送信出力を所定量、例えば予め定めた１段階分だけ上げる（ステップＳ８０）。そして、この設定が完了したら、その旨を表す設定完了信号を生成し、この信号を受信機側に送信して（ステップＳ８２）、ステップＳ７４に戻る。なお、上記ステップＳ７８の時点で、既に、送信出力が最大値に設定されている場合（ＮＯの場合）には、送信出力の増大が不可能であることを表す設定限界信号を生成し、これを受信機側に送信して（ステップＳ８４）、上記ステップＳ７４に戻る。
【００９７】
受信機側においては、制御部３０が、ステップＳ６４において送信出力アップ命令を送信した後、送信機側から上記設定完了信号または設定限界信号が送られてくるのを待機している状態にある（ステップＳ６６、Ｓ６８）。即ち、制御部３０は、ステップＳ６６において、上記設定完了信号を受信した場合（ＹＥＳの場合）には、ステップＳ４４に戻り、上記手順を再度繰り返す。
【００９８】
上記ステップＳ４４以降の手順を繰り返すことにより、送信機側の送信出力及び受信機側の受信入力感度共に、これら送受信機間で無線通信を行うのに必要かつ十分な状態に設定されると、第１の実施の形態と同様、受信機側の表示部３６に、受信状態維持情報が表示される（ステップＳ５６）。従って、作業者は、この受信状態維持情報の表示を確認することにより、上記送信出力及び受信入力感度の調節が良好に成されたことを認識できる。そして、上記第１の実施の形態と同様に、受信機側の操作部３５の設定解除スイッチをＯＮすると、制御部３０は、図１０に示すように、調節解除モードＭ１４に遷移する。
【００９９】
一方、上記ステップＳ６８において、設定限界信号を受信した場合（ＹＥＳの場合）には、現在の送信機及び受信機の組み合わせでは、その使用エリアを十分にカバーできない（即ち仕様を満たすことができない）ものと判断する。そしてこの場合、制御部３０は、自動的に調節解除モードＭ１４に移行する。
【０１００】
制御部３０は、調節解除モードＭ１４において、図１４に示すように動作する。即ち、制御部３０は、第１の実施の形態（図５）と同様に、一時記憶領域内に記憶したレベル最低値ＶＬ  から所定の値ΔＶを減算する（ステップＳ９０）。そして、この減算して得た結果を、上述したミューティング回路２８の基準レベルＶＴＨとして、Ｄ／Ａ変換器３３に出力する（ステップＳ９２）。この基準レベルＶＴＨの設定を完了すると、制御部３０は、調節解除命令を生成し、これを送信機側に送信した後（ステップＳ９４）、通常受信モードＭ１０に戻る。
【０１０１】
送信機側においては、制御部８が、ステップＳ７４において上記調節解除命令が送られてくるのを待機している状態にあるので、このステップＳ７４において、上記調節解除命令を受信したことを確認すると（ＹＥＳの場合）、現在設定している送信出力をそのまま維持し、即ち実際に無線通信を行う際の（通常送信モードＭ２０における）送信出力として再設定する（ステップＳ８６：なお、このステップＳ８６が、図１２における調節解除モードＭ２４に対応する）。そして、送信出力を再設定した後、図１２に示すように、通常送信モードＭ２０に戻る。
【０１０２】
上記のように、本第２の実施の形態によれば、送信機側の送信出力及び受信機側の受信入力感度は、共に、各制御部８及び３０によって自動的に調整される。従って、送信機側の送信出力については手動で設定する必要のある第１の実施の形態とは異なり、上記各調節の完全自動化を実現できる。
【０１０３】
なお、受信機側において、送信機側から設定限界信号を受信したとき（ステップＳ６８においてＹＥＳの場合）、その旨を表す情報を、表示部３６により表示するよう構成してもよい。この場合、表示部３６は、特許請求の範囲に記載の第３の情報として、上記設定限界信号を受信した旨の情報を出力する、第３の情報出力手段としても機能する。
【０１０４】
本第２の実施の形態では、図１１及び図１４に示すフローチャートに基づいて受信機側の制御部３０を動作させると共に、図１３に示すフローチャートに基づいて送信機側の制御部８を動作させたが、これに限らない。即ち。本第２の実施の形態と同様の作用及び効果を奏するのであれば、上記各フローチャート以外の手順により各制御部８、３０を制御してもよい。
【０１０５】
【発明の効果】
以上のように、請求項１に記載の発明の受信機によれば、感度調節モードにおいて、通信相手となる送信機を持ってこの送信機から一定の送信出力で電波を発射させた状態でその使用エリア内を隈なく歩き回るだけで、受信機側の受信入力感度を、上記送信機から送られてくる電波を安定して受信するのに必要かつ十分な感度値に設定することができる。従って、送信機側の作業者と受信機側の作業者との計二人の作業者を必要とする上述の従来技術とは異なり、送信機を持ち歩く作業者一人だけで、良好な感度調節を実現できるという効果がある。また、この感度調節は、感度制御手段により自動的に成されるので、経験の浅い作業者でも、良好な調節を容易に実現できる。
【０１０６】
請求項２に記載の発明の受信機は、上記請求項１に記載の発明の感度制御手段を、初期設定手段、計時手段、最低値記憶手段及び制御実行手段により実現したものである。よって、上記請求項１に記載の発明と同様の効果を奏する。
【０１０７】
請求項３に記載の発明の受信機によれば、通信相手となる送信機を持ってその使用エリア内を隈なく歩き回ったときの受信信号レベルの最低値を、ミューティング回路のＯＮ／ＯＦＦ動作の基準としている。そして、実際に無線通信を行う際には、受信信号レベルが上記基準レベル以上であるときにのみ、ミューティング回路をＯＮして、受信部の出力を有効とする。従って、送信機が、その使用エリア内に存在し、かつ電波を発射している状態にあるときにのみ、受信部の出力を有効とし、送信機が使用エリア内に存在しない場合や無信号時には、受信部の出力を無効とする、理想的なミューティング制御を実現できる。
【０１０８】
請求項４に記載の発明の受信機は、減算手段を設けることにより、上記請求項３に記載の発明における基準レベルを若干引き下げて、この基準レベルに余裕（マージン）を持たせたものである。従って、例えばフェージング等の影響により受信信号レベルがふらついても、このふらつきにより、上記ミューティング回路が不本意にＯＮ／ＯＦＦ動作（主にＯＦＦ動作）するのを防止でき、通信の安定性が向上するという効果がある。
【０１０９】
請求項５に記載の発明の受信機は、感度制御手段による処理の対象となる受信レベル信号を積分する積分手段を設け、この積分手段によって積分した後の受信レベル信号を感度制御手段により処理するものである。従って、例えばデッドポイント等により上記受信レベル信号が極端に変化したとしても、その現象が瞬間的なものであれば、上記デッドポイント等が感度制御手段に与える影響を上記積分手段により吸収できる。従って、上記デッドポイント等が生じても、その影響を受けずに、良好な感度調節を実現できるという効果がある。
【０１１０】
請求項６に記載の発明の受信機によれば、受信入力感度の設定が完了したとき、その旨を表す第１の情報が出力される。従って、作業者は、この第１の情報の出力により、上記受信入力感度の設定が正常に成されたことを確認できる。
【０１１１】
請求項７に記載の発明の受信機によれば、受信入力感度を最大しても、送信機側から送られてくる電波を必要かつ十分な感度で受信できない場合、その旨を表す第２の情報が出力される。従って、作業者は、この第２の情報の出力により、受信機側の受信入力感度が不足していること、或いは送信機側の送信出力が不足していることを、認識できる。
【０１１２】
請求項８に記載の発明の受信機によれば、これと無線通信が可能な送信機の送信出力が不足しているとき、その旨を表す第２の情報を、送信機側に送信する。一方、送信機は、上記第２の情報を受信可能な送信機側受信部を備えており、この第２の情報を受信することにより、自己の送信出力が不足していることを認識して、自動的に送信出力を増大する。このように、本請求項８に記載の発明によれば、送信機側の送信出力を自動的に増大させ、即ち自動調節することができる。そして、再度、感度制御手段による受信入力感度の調節動作を実行させれば、上記増大された送信出力に適した受信機側の感度調節を実現できる。
【０１１３】
請求項９に記載の発明の受信機によれば、送信機側から、その送信出力を増大させた旨を表す設定完了信号を受信すると、自動的に、感度制御手段による受信入力感度の調節動作を開始する。従って、受信機側の受信入力感度及び送信機側の送信出力の両方の自動調節を実現できるという効果がある。
【０１１４】
請求項１０に記載の発明の受信機によれば、送信機の送信出力が限界に達しており、送信出力の増大が不可能であるとき、送信機から受信機に対して設定限界信号が送信され、これに応じて、第３の情報が出力される。従って、作業者は、この第３の情報の出力により、送信機側の送信出力が限界に達していること、ひいては、本請求項１０に記載の発明の受信機と今現在の通信相手である送信機との組み合わせでは、今現在の使用エリアを十分にカバーできない（即ち仕様を満たすことができない）ことを、認識できる。
【０１１５】
請求項１１に記載の発明の受信機によれば、これに外部から感度調節開始指令を与えると、送信機に向けて調節開始命令信号を送信し、これにより、送信機側の送信出力が自動的に最小出力に設定される。従って、送信機側については、その送信出力を極力小さく抑えるという趣旨に沿った設定を実現できる。
【０１１６】
請求項１２に記載の発明の送信機は、請求項８に記載の発明の受信機と無線通信が可能なものである。従って、本請求項１２に記載の発明の送信機と、上記請求項８に記載の発明の受信機とを、組み合わせてワイヤレスシステムを構成することによって、上記請求項８に記載の発明と同様の効果が得られる。
【０１１７】
請求項１３に記載の発明の送信機は、請求項９に記載の発明の受信機と無線通信が可能なものである。従って、本請求項１３に記載の発明の送信機と、上記請求項９に記載の発明の受信機とを、組み合わせてワイヤレスシステムを構成することによって、上記請求項９に記載の発明と同様の効果が得られる。
【０１１８】
請求項１４に記載の発明の送信機は、請求項１０に記載の発明の受信機と無線通信が可能なものである。従って、本請求項１４に記載の発明の送信機と、上記請求項１０に記載の発明の受信機とを、組み合わせてワイヤレスシステムを構成することによって、上記請求項１０に記載の発明と同様の効果が得られる。
【０１１９】
請求項１５に記載の発明の送信機は、請求項１１に記載の発明の受信機と無線通信が可能なものである。従って、本請求項１５に記載の発明の送信機と、上記請求項１１に記載の発明の受信機とを、組み合わせてワイヤレスシステムを構成することによって、上記請求項１１に記載の発明と同様の効果が得られる。
【０１２０】
請求項１６に記載の発明のワイヤレスシステムは、上記請求項１、２、３、４、５、６または７に記載の受信機と、例えば手動により任意に送信出力を可変できる送信機とを、組み合わせたものである。従って、少なくとも、受信機側の受信入力感度については、送信機側の送信出力に応じて、自動調節できると効果がある。
【０１２１】
請求項１７に記載の発明のワイヤレスシステムは、請求項８に記載の発明の受信機と、請求項１２に記載の発明の送信機と、から成るものである。従って、上記請求項８及び１２の発明と同様の効果を奏する。
【０１２２】
請求項１８に記載の発明のワイヤレスシステムは、請求項９に記載の発明の受信機と、請求項１３に記載の発明の送信機と、から成るものである。従って、上記請求項９及び１３の発明と同様の効果を奏する。
【０１２３】
請求項１９に記載の発明のワイヤレスシステムは、請求項１０に記載の発明の受信機と、請求項１４に記載の発明の送信機と、から成るものである。従って、上記請求項１０及び１４の発明と同様の効果を奏する。
【０１２４】
請求項２０に記載の発明は、請求項１１に記載の発明の受信機と、請求項１５に記載の発明の送信機と、から成るものである。従って、上記請求項１１及び１５の発明と同様の効果を奏する。
【図面の簡単な説明】
【図１】本発明の第１の実施の形態を示す図で、（ａ）は、送信機側の概略ブロック図、（ｂ）は、受信機側の概略ブロック図である。
【図２】同第１の実施の形態における受信機側のアンテナ入力と受信レベル信号との関係を表すグラフである。
【図３】同第１の実施の形態における受信機側の制御部の状態遷移図である。
【図４】同第１の実施の形態における受信機側の制御部が、受信入力感度調節モードにあるときの動作を表わすフローチャートである。
【図５】同第１の実施の形態における受信機側の制御部が、調節解除モードにあるときの動作を表わすフローチャートである。
【図６】同第１の実施の形態において受信機側の受信入力感度を調節した後の受信状態を表すグラフである。
【図７】同第１の実施の形態における受信機側の受信レベル信号の変化をグラフで、積分回路によりデッドポイントの影響を吸収した状態を表すものである。
【図８】同第１の実施の形態における受信機をダイバシティ受信機とした場合の概略ブロック図である。
【図９】本発明の第２の実施の形態を示す図で、（ａ）は、送信機側の概略ブロック図、（ｂ）は、受信機側の概略ブロック図である。
【図１０】同第２の実施の形態における受信機側の制御部の状態遷移図である。
【図１１】同第２の実施の形態における受信機側の制御部が、受信入力感度調節モードにあるときの動作を表わすフローチャートである。
【図１２】同第２の実施の形態における送信機側の制御部の状態遷移図である。
【図１３】同第２の実施の形態における送信機側の制御部の動作を表わすフローチャートである。
【図１４】同第２の実施の形態における受信機側の制御部が、調節解除モードにあるときの動作を表わすフローチャートである。
【符号の説明】
６  送信出力設定部
７  送信アンテナ
８、３０  制御部
２１  受信アンテナ
２２  感度設定部
２７  復調回路
２９  音声出力端子
【図１】
0003634166.tif 000002
【図２】
0003634166.tif 000003
【図３】
0003634166.tif 000004
【図４】
0003634166.tif 000005
【図５】
0003634166.tif 000006
【図６】
0003634166.tif 000007
【図７】
0003634166.tif 000008
【図８】
0003634166.tif 000009
【図９】
0003634166.tif 000010
【図１０】
0003634166.tif 000011
【図１１】
0003634166.tif 000012
【図１２】
0003634166.tif 000013
【図１３】
0003634166.tif 000014
【図１４】
0003634166.tif 000015